(57)【要約】【課題】高い洗浄性を有すると共に、洗い残しが無く、被洗浄面に傷を付ける事が無く、且つ、洗い上がりが優れていると共に、ブラシ体の取付が容易な洗車機用洗浄ブラシを提供する。【解決手段】自動車洗浄用あるいは車両洗浄用の洗車機用洗浄ブラシにおいて、前記洗車機用洗浄ブラシは、軸体、及びブラシ体を有すると共に、前記ブラシ体は、前記軸体が貫通されてあり、前記軸体の外周面に一箇所の取付部にて装着されてあるものである。【選択図】図１
2007136141.tif 000002
【特許請求の範囲】
【請求項１】
自動車洗浄用あるいは車両洗浄用の洗車機用洗浄ブラシにおいて、前記洗車機用洗浄ブラシは、軸体、及びブラシ体を有すると共に、前記ブラシ体は、前記軸体が貫通されてあり、前記軸体の外周面に一箇所の取付部にて装着されてあることを特徴とする洗車機用洗浄ブラシ。
【請求項２】
請求項１記載の構成よりなる洗車機用洗浄ブラシにおいて、前記洗車機用洗浄ブラシは、軸体、ブラシ体、及び連結体を有し、前記ブラシ体は、一端が前記連結体に装着されてあると共に、前記軸体が貫通されてあり、前記連結体が前記軸体の外周面に装着されてあることを特徴とする洗車機用洗浄ブラシ。
【請求項３】
請求項２記載の構成よりなる洗車機用洗浄ブラシにおいて、前記連結体に保持される前記ブラシ体の保持部は前記軸体の外周面に装着した時に前記軸体の長手方向にたいして変化するように形成されてあることを特徴とする洗車機用洗浄ブラシ。
【請求項４】
請求項１から３記載の構成よりなる洗車機用洗浄ブラシにおいて、前記連結体、あるいは前記連結体に保持される前記ブラシ体の保持部に、前記連結体と前記ブラシ体のズレ防止手段を有することを特徴とする洗車機用洗浄ブラシ。
【請求項５】
駆動源、被洗浄面に散布する洗浄剤、水を噴出させるノズル、及び洗浄後の被洗浄面を乾燥させる乾燥手段を備えると共に、請求項１から４記載の前記洗車機用洗浄ブラシが搭載されてある洗車機。
【発明の詳細な説明】
【技術分野】
【０００１】  本発明は、自動車あるいは車両の外面の被洗浄面に付着した汚れ等を洗浄する為の洗車機に使用する洗浄ブラシ、及び洗浄ブラシを搭載した洗車機に関するものである。
【背景技術】
【０００２】  自動車あるいは車両の外面の被洗浄面に付着した汚れ等を洗浄する為の洗車機に使用する洗浄ブラシ及び洗車機に関しては、例えば、特開平９−１７５３４６号公報においては、車両洗浄体ユニットが提示されてある。前記車両洗浄体ユニットにおいては長方形状に形成した布製のブラシ単体を使用し、長手方向の両端間を一体化して筒状に形成すると共に、長手方向に対して直交状方向の一側部分で且つ長手方向の複数箇所は、長手方向で折り畳んだ折畳み部としてそれぞれ被嵌合体に固定する技術が開示されてある。【０００３】  また、例えば、特開２００３−４８５２０号公報においては、車両洗浄体ユニットは布製ブラシ単体とスポンジ製ブラシ単体とが、軸心の方向で交互に配置されている洗浄ブラシの構成技術が開示されてある。【０００４】  また、特開平５−１９２２２５号公報においては、車両洗浄体ユニットは軸体に帯板状の部材に複数の筒状取付け座を有してあり、毛材を植毛からなる洗浄ブラシで、取り外し可能な接続部が設けられてある。また、接続部が一箇所という特徴を有する洗浄ブラシが開示されてある。【０００５】  さらに、特開平７−２２７３１６号公報においては、自動洗車機用ブラシローラは、軸体に帯板状の部材に複数の剛毛がポリプロピレンやポリエチレン等のプラスチック材から形成された細長い帯状部材で構成されている。また、剛毛は帯板状部材の幅方向中央部で合わせ線が形成されるように折り返された構成である。また、接続部が一箇所という特徴を有する洗浄ブラシが開示されてある。【０００６】
【特許文献１】  特開平９−１７５３４６号公報
【特許文献２】  特開２００３−４８５２０号公報
【特許文献３】  特開平５−１９２２２５号公報
【特許文献４】  特開平７−２２７３１６号公報
【発明の開示】
【発明が解決しようとする課題】
【０００７】  しかしながら、上記特開平９−１７５３４６号に開示されてある従来のブラシ体は、長方形状に形成した布製のブラシ体を使用し、長手方向の両端を一体化して筒状に形成し、かつ長手方向の複数箇所に、長手方向で折り畳むことで、ブラシ体に腰を維持させつつ洗浄性を高めると共に、ブラシ体の洗浄面を被洗浄体に接触させて横一方向の連続した洗浄が出来る。しかし、製造過程に時間が掛かる。まず、裁断後に所定の位置に固定用孔３２個を明けた後、長手両端部を縫合し、８層の折畳み部を４箇所作製後に、個々の折り部をリベットにて止め具に固定しブラシ体を製作している為、製造工程が複雑であった。また、ブラシ体の止め具を軸体の長手方向の嵌合部に順次積層し配置している為、迅速な組付をすることが不可能であった。また、補修部を取り外す場合には、補修部までのブラシ体を全数取り除く必要があった。また、取付部の回転時の軌跡が一つのみである為、被洗浄体にたいして洗浄方向が横一方向のみの洗浄であると共に、隣接する互いのブラシ体の間に隙間が生じることにより、洗浄ブラシの進行方向にたいして平行に形成された帯状の洗い残しができていた。【０００８】  また、上記特開２００３−４８５２０号に開示されてある前記洗浄体は、布製ブラシ体とスポンジ製ブラシ体を軸心方向に交互に配置された形式があり、布製ブラシ体をスポンジ製ブラシ体で両側から規制して、布製ブラシ体の波打ち形状を抑制している。しかし、製造手順は、上記特開平９−１７５３４６号に開示されてある方法と同じである為、製造に手間が掛かる。また、補修時においては、連続した布製ブラシ体とスポンジ製ブラシ体を軸心方向に交互に配置された螺旋状のブラシ体を取り外さなければならない。また、前記の構造の為、洗浄方向が傾斜した横一方向のみの洗浄である。【０００９】  さらに、上記特開平５−１９２２２５号、及び特開平７−２２７３１６号に開示されてある前記洗浄体は、毛材部が、ポリプロピレンやポリエチレン等のプラスチック線材を帯板状部材の筒状取り付け座に植毛形成したのち、軸体に取り外し可能な接合部が設けられてあるが、帯板状部材の形状の成形が複雑であった。また、軟質の為、巻いた後の軸体にたいするズレ、撓みが発生していた。また、ポリプロピレンやポリエチレン等のプラスチック線材を帯板状部材の筒状取り付け座に植毛形成する必要がある為、製造工程が複雑で、かつ迅速な組付をすることが不可能であった。また、毛材を植毛している為、平板状の織布等を組付けることが不可能であった。また、筒状取り付け座の回転時の軌跡が一つのみである為、被洗浄体にたいして洗浄方向が横一方向のみの洗浄である。また、ブラシ体の間に隙間が生じることにより洗浄ブラシの進行方向にたいして平行に形成された帯状の洗い残しができていた。【００１０】    従来の洗車機用洗浄ブラシは、例えば、上記の如くの技術が開示されてあるが、ブラシ単体の形成が複雑で容易に得られない。また、従来技術においては、ブラシ体の止め具を軸体の長手方向の嵌合部に順次積層し配置している為、迅速な組付をすることが不可能であった。また、補修部を取り外す場合には、補修部までのブラシ体を全数取り除く必要があった。また、取付部の��転時の軌跡が一つのみである為、被洗浄体にたいして洗浄方向が横一方向のみの洗浄であると共に、隣接する互いのブラシ体の間に隙間が生じることにより、洗浄ブラシの進行方向にたいして平行に形成された帯状の洗い残しができていた。また、上記特開２００３−４８５２０号に開示されてある前記洗浄体は、布製ブラシ体とスポンジ製ブラシ体を軸心方向に交互に配置された形式があり、しかし、製造手順は、上記特開平９−１７５３４６号に開示されてある方法と同じである為、製造に手間が掛かる。また、補修時においては、連続した布製ブラシ体とスポンジ製ブラシ体を軸心方向に交互に配置された螺旋状のブラシ体を取り外さなければならない。また、前記の構造の為、洗浄方向が傾斜した横一方向のみの洗浄である。また、帯板状部材の形状の成形が複雑であり、軟質の為、巻いた後の軸体にたいするズレ、撓みが発生していた。また、ポリプロピレンやポリエチレン等のプラスチック線材を帯板状部材の筒状取り付け座に植毛形成する必要がある為、製造工程が複雑で、かつ迅速な組付をすることが不可能であった。また、毛材を植毛している為、平板状の織布等を組付けることが不可能であった。また、筒状取り付け座の回転時の軌跡が一つのみである為、被洗浄体にたいして洗浄方向が横一方向のみの洗浄である。また、ブラシ体の間に隙間が生じることにより洗浄ブラシの進行方向にたいして平行に形成された帯状の洗い残しができていた。【００１１】本発明は、上記従来の課題を解決するもので、高い洗浄性を有すると共に、洗い残しが無く、被洗浄面に傷を付ける事が無く、且つ、洗い上がりが優れていると共に、ブラシ体の取付が容易な洗車機用洗浄ブラシを提供することを目的としている。
【課題を解決するための手段】
【００１２】  そして、本発明は、上記のような課題を解決する為に、自動車洗浄用あるいは車両洗浄用の洗車機用洗浄ブラシにおいて、前記洗車機用洗浄ブラシは、軸体、及びブラシ体を有すると共に、前記ブラシ体は、前記軸体が貫通されてあり、前記軸体の外周面に一箇所の取付部にて装着されてあるものである。【００１３】  また、第２の解決手段は、上記解決手段において、前記洗車機用洗浄ブラシは、軸体、ブラシ体、及び連結体を有し、前記ブラシ体は、一端が前記連結体に装着されてあると共に、前記軸体が貫通されてあり、前記連結体が、前記軸体の外周面に装着されてあるものである。【００１４】  また、第３の解決手段は、第２の解決手段において、前記連結体に保持される前記ブラシ体の保持部は前記軸体の外周面に装着した時に前記軸体の長手方向にたいして変化するように形成されてあるものである。【００１５】  また、第４の解決手段は、第１から第３の解決手段において、前記連結体、あるいは前記連結体に保持される前記ブラシ体の保持部に、前記連結体と前記ブラシ体のズレ防止手段を有するものである。【００１６】  また、第５の解決手段は、駆動源、被洗浄面に散布する洗浄剤、水を噴出させるノズル、及び洗浄後の被洗浄面を乾燥させる乾燥手段を備えると共に、第１から第４の解決手段の洗車機用洗浄ブラシが搭載されてある洗車機であるものである。【００１７】  上記第１の解決手段による作用は、次の通りである。すなわち、洗車機用洗浄ブラシは、軸体がブラシ体にたいして貫通されてある。その為、ブラシ体は軸体から脱落する事が無い。また、ブラシ体は、軸体の外周面に一箇所の取付部にて装着されてある。その為、一箇所のみの取付にて、ブラシ体を軸体にたいして、軸体の長手方向にたいする位置ズレを発生する事なく装着できる。その為、ブラシ体の軸体にたいする組付けを極めて簡易、かつ迅速にする事ができ、安価な洗車機用洗浄ブラシを提供できる。【００１８】  上記第２の解決手段による作用は、次の通りである。すなわち、洗車機用洗浄ブラシは、ブラシ体の一端が、連結体に装着されてあると共に、軸体がブラシ体にたいして貫通されてあり、連結体が、軸体の外周面に装着されてある。その為、連結体を軸体の外周面に装着するのみにて、ブラシ体を軸体に装着できる。また、ブラシ体を軸体にたいして、軸体の長手方向にたいする位置ズレを発生する事なく装着できる。【００１９】  上記第３の解決手段による作用は、次の通りである。すなわち、連結体に保持されるブラシ体の保持部は、軸体の外周面に装着した時に、軸体の長手方向にたいして変化するように形成されてある。その為、連結体を軸体の外周面に装着するのみにてブラシ体の外周部を軸体の長手方向にたいして変化するように形成できる。その為、ブラシ体を被洗浄面にたいして、軸体の長手方向を往復するよう接触させる事が出来る。また、ブラシ体を、被洗浄面にたいして、順次、傾斜角度の異なるさまざまな方向から接触させる事ができる。【００２０】  上記第４の解決手段による作用は、次の通りである。すなわち、連結体に保持されるブラシ体の保持部に、連結体と前記ブラシ体のズレ防止手段を有している。その為、ズレ防止手段により、連結体に保持されるブラシ体の保持部は、軸体にたいして、位置ズレを発生する事が無い。その為、ブラシ体を被洗浄面にたいして、的確に接触させる事ができる。【００２１】  上記第５の解決手段による作用は、次の通りである。すなわち、第１から第４の解決手段の洗車機用洗浄ブラシが搭載されてある洗車機が構成されてあり、前記洗車機は、駆動源、被洗浄面に散布する洗浄剤、水を噴出させるノズル、及び洗浄後の被洗浄面を乾燥させる乾燥手段を備えている。搭載されてある洗浄ブラシは、ブラシ体が軸体から外れる事無く、ブラシ体の形状変形を抑制できる高い耐久性を有している為、洗車機は、被洗浄面に汚れ等が強固に付着している時でも、汚れを掻き出して強力に除去できる高い洗浄性及び耐久性を有する事ができる。
【発明の効果】
【００２２】  本発明の洗車機用洗浄ブラシを構成するブラシ体に軸体が貫通されてあると共に、前記軸体に連結体にて装着されてあり、かつ外周面に一箇所の取付部にて装着されてある為、組付け作業が容易になり迅速に行なえる。その上、ブラシ体が外れる事なく、ブラシ体の形状変形を抑制できる高い耐久性を有している為、被洗浄面に汚れ等が強固に付着している時でも、汚れを掻き出して強力に除去できる洗車機用洗浄ブラシを提供できる。
【発明を実施するための最良の形態】
【００２３】  第１の発明は、前記洗車機用洗浄ブラシの構成は、軸体及びブラシ体を有すると共に、前記ブラシ体は、前記軸体に貫通されてある為、ブラシ体は軸体から脱落する事が無い。また、前記軸体にたいする前記ブラシ体は、外周面に一箇所の取付部にて装着されてある。その為、ブラシ体を軸体にたいして、軸体の長手方向にたいする位置ズレを発生する事が無く装着できる為、ブラシ体を被洗浄面に接触させることができ洗浄性を上げる事ができる。【００２４】  第２の発明は、前記洗車機用洗浄ブラシの構成は、軸体、ブラシ体、及び連結体を有し、前記ブラシ体の一端が前記連結体に装着されてあると共に、前記ブラシ体が前記軸体に貫通されてあり、前記連結体が前記軸体の外周面に装着するのみで、ブラシ体を軸体に装着できる。また、ブラシ体を軸体にたいして、前記軸体の長手方向にたいする位置ズレを発生する事なく装着できる。また、ブラシ体を被洗浄面に接触させることができ洗浄性を上げる事ができる。【００２５】  第３の発明は、前記洗車機用洗浄ブラシの構成は、連結体に保持される前記ブラシ体の保持部は、前記軸体の外周面に装着した時に、前記軸体の長手方向にたいして変化するように形成されてある。その為、連結体を軸体の外周面に装着するのみにて、ブラシ体の外周部を軸体の長手方向にたいして変化するように形成できる。その為、ブラシ体を被洗浄面にたいして、軸体の長手方向を往復するように接触させる事ができる。また、ブラシ体を被洗浄面にたいして、順次、傾斜角度の異なるさまざまな方向から接触させる事ができる。また、ブラシ体を被洗浄面に接触させることで洗浄性の高い洗浄ができる。【００２６】  第４の発明は、前記洗車機用洗浄ブラシの構成は、前記連結体に保持される前記ブラシ体の保持部に前記連結体と前記ブラシ体のズレ防止手段を有している。その為、ズレ防止手段により、連結体に保持されるブラシ体の保持部は、軸体にたいして、位置ズレを発生する事が無い。その為、ブラシ体を被洗浄面にたいして、的確に接触させる事ができる。また、ブラシ体を被洗浄面に接触させることで洗浄性の高い洗浄ができる。【００２７】  第５の発明は、第１から第４の洗車機用洗浄ブラシを搭載されてある洗車機の構成は、駆動源、被洗浄面に散布する洗浄剤、水を噴出させるノズル、及び洗浄後の被洗浄面を乾燥させる乾燥手段を備えると共に、第１から第４の発明の洗浄ブラシを備えたもので、搭載されてある洗浄ブラシは、ブラシ体が軸体から外れる事なく、ブラシ体の形状変形を抑制できる高い耐久性を有している為、洗車機は、被洗浄面に汚れ等が強固に付着している時でも、汚れを掻き出して強力に除去できる高い洗浄性及び耐久性を有する事ができる。【００２８】  以下、本発明の実施の形態について、図面を参照しながら説明する。なお、この実施の形態により本発明が限定されるものではない。
【実施例１】
【００２９】  図１から図９にて実施例１を示す。図１は、本発明の洗車機用洗浄ブラシを前面側から見た斜視図である。図１において、１はブラシ体、２は取付部、３、４は縫製部、５はプリーツ部、９は洗車機用洗浄ブラシ、１０は軸体である。図２は、図１のブラシ体の斜視図である。図２において、６は固定用孔である。【００３０】  また、図３は、実施例１の他の実施の形態の洗車機用洗浄ブラシを前面側から見た斜視図である。図３において、１１はブラシ体、１２は連結体通し孔、１３、１４、１６は縫製部、１５はプリーツ部、１７は連結体、１８は取付部、１９は洗車機用洗浄ブラシである。図４は、図３のブラシ体の斜視図である。図５は、図３の連結体の装着前の状態を示す斜視図である。図５において、２０は固定用孔、３６は上面、３７は側面、３８は下面、３９は突起部である。【００３１】  また、図６は、実施例１の他の実施の形態に使用する連結体の正面図である。図６において、２１は連結体、２２は固定用孔、２４、２５、２６、２７は屈曲部である。図７は図６の連結体を軸体に装着した状態の側面図である。図７において、２３は取付部、２９は洗車機用洗浄ブラシである。図８は図７のＡ−Ａ、Ｂ−Ｂ、Ｃ−Ｃ、及びＤ−Ｄ断面図である。図８において、３１、３２、３３、３４は押付力である。【００３２】  洗車機用洗浄ブラシ９は、図１及び図２の如く、ブラシ体１及び軸体１０より構成されてある。ブラシ体１は、軸体１０にたいして貫通されてあり、軸体１０の外周面に形成された一箇所の取付部２にて、軸体１０に装着されてある。取付部２には、ネジ止めがされてある。また、ブラシ体１は、概円錐台形状にて形成されてあり、一端には、固定用孔６を有すると共に、プリーツ部５が形成されてある。プリーツ部５は縫製部４を縫合する事により形成されてある。その為、ブラシ体１は、プリーツ部５が例えば、巾着袋の如く、絞られて形成されてある。また、ブラシ体１は、上記と同じ要領にて、軸体１０の長手方向にたいして、所定の間隔を有して、複数装着されてある。【００３３】  次に、洗車機用洗浄ブラシ９の製造手順を説明する。まず、図２の如く、ブラシ体１は、長方形状の布状態の端部を折畳みながら縫製部４を縫合する事により、プリーツ部５を形成した後、穴明け加工により固定用孔６を一箇所を形成し、縫製部３にて縫合する事により製作される。次に軸体１０にたいして、ブラシ体１を貫通させた後、固定用孔６を使用して、取付部２にて装着する。【００３４】  次に、洗車機用洗浄ブラシ９の動作、作用を説明する。洗車機用洗浄ブラシ９の使用時においては、軸体１０が回転することにより、被洗浄面にブラシ体１の外周部が接触する。ブラシ体１は、軸体１０に貫通されてある為、軸体１０から脱落する事なく回転する。また、ブラシ体１は、軸体１０にたいして取付部２にて装着されてある。その為、取付部２は回転時においても、位置ズレすることは無い。また、ブラシ体１は、例えば、巾着袋の如く、絞られて形成されてあるプリーツ部５を有する。その為、軸体１０の回転時において、プリーツ部５が位置ズレを発生する事を抑制できる。【００３５】  実施例１の洗車機用洗浄ブラシ９は、上記の如くの構成となっている為���ブラシ体１は軸体１０から脱落する事が無い。また、ブラシ体１は、軸体１０の外周面に一箇所の取付部２にて装着されてある。その為、一箇所のみの取付にて、ブラシ体１を軸体１０にたいして、軸体１０の長手方向にたいする位置ズレを発生する事なく装着できる。その為、ブラシ体１の軸体１０にたいする組付けを極めて簡易、かつ迅速にする事ができ、安価な洗車機用洗浄ブラシを提供できる。【００３６】  実施例１の洗車機用洗浄ブラシ９は、上記の如くの構成となっているが、ブラシ体１の形状については、上記の如く、概円錐台形状以外にも、例えば、円筒形状、円盤形状等、採用できる。また、軸体１０にたいする取付部２の形成状態についても、上記の如く軸体１０の長手方向にたいして所定の間隔を有して、複数形成されてある以外にも、例えば、複数の取付部２が軸体１０の長手方向にたいして等間隔にて９０°、１８０°等の位相差を有して螺旋状になる様、形成されてある状態等も採用できる。また、ブラシ体１の材質は、布地以外にも、織布、不織布、合成樹脂発泡体、フィルム材等も採用できる。【００３７】  次に、実施例１の他の実施の形態を説明する。他の実施の形態の洗車機用洗浄ブラシ１９は、図３、図４、及び図５の如く、軸体１０、ブラシ体１１、及び連結体１７より構成されてある。ブラシ体１１は、軸体１０に貫通されてあり、軸体１０の外周面に形成された一箇所の取付部１８にて、軸体１０に装着されてある。また、連結体１７は、ブラシ体１１の連結体通し孔１２に装着されてあると共に、連結体１７に形成された固定用孔２０を重ね合せる事により取付部１８にて、軸体１０に装着されてある。取付部１８には、ネジ止めがされてある。また、ブラシ体１１は、概円錐台形状にて形成されてあり、一端には、連結体通し孔１２を有すると共に、プリーツ部１５が形成されてある。プリーツ部１５は縫製部１４を縫合する事により形成されてある。また、連結体通し孔１２は、プリーツ部１５を形成した後、端部を折返し縫製部１６にて縫合した後、端面を重ね合わせて縫製部１３にて縫合する事により製作する。その為、ブラシ体１１は、プリーツ部１５が巾着袋の如く絞られて形成されてある。また、ブラシ体１１は、軸体１０の長手方向にたいして、所定の間隔を有して、複数装着されてある。【００３８】  次に、他の実施の形態の洗車機用洗浄ブラシ１９の製造手順を説明する。まず、図４の如く、長方形状の布地の一端部を折畳みながら縫製部１４を縫合する事により、プリーツ部１５を形成した後、一端部を折返し縫製部１６にて縫合した後、連結体通し孔１２を形成し、端部を、縫製部１３にて縫合する事によりブラシ体１１を製作する。次に、図３の如く、ブラシ体１１の連結体通し孔１２に連結体１７を通した後、図５の如く、連結体１７に形成された固定用孔２０を重ね合せる事により取付部１８にて軸体１０に装着する。【００３９】  また、連結体１７は、アルミニウム材にて形成されてある。また、固定用孔２０、上面３６、側面３７、下面３８を有し、複数の突起部３９が形成されてある。連結体１７は、突起部３９が軸体１０の外周面に当接するように装着される。【００４０】  実施例１の他の実施の形態の洗車機用洗浄ブラシ１９は、��記の如くの構成となっているが、連結体１７の材質については、上記の如く、アルミニウム材以外にも、各種鋼材、軟質ゴム材、硬質ゴム材、樹脂材、各種バネ鋼材等も採用できる。【００４１】  次に、洗車機用洗浄ブラシ１９の動作、作用を説明する。洗車機用洗浄ブラシ１９の使用時においては、軸体１０が回転することにより、被洗浄面にブラシ体１１の外周部が接触する。ブラシ体１１は、軸体１０に貫通されてある為、軸体１０から脱落する事なく回転する。また、ブラシ体１１は、軸体１０にたいして取付部１８にて装着されてある。その為、取付部１８は回転時においても、位置ズレすることが無い。また、ブラシ体１１には、例えば、巾着袋の如く、絞られて形成されてあるプリーツ部１５が形成されてあると共に、連結体１７は、位置ズレ防止手段の突起部３９を有している為、軸体１０の回転時において、プリーツ部１５の位置ズレが発生する事を抑制できる。【００４２】  実施例１の他の実施の形態の洗車機用洗浄ブラシ１９は、上記の如くの構成となっている為、ブラシ体１１は軸体１０から脱落する事が無い。また、ブラシ体１１は、軸体１０の外周面に一箇所の取付部１８にて装着されてある。その為、一箇所のみの取付にて、ブラシ体１１を軸体１０にたいして、軸体１０の長手方向にたいする位置ズレを発生する事なく装着できる。その為、ブラシ体１１の軸体１０にたいする組付けを極めて簡易、かつ迅速にする事ができ、安価な洗車機用洗浄ブラシを提供できる。【００４３】  実施例１の他の実施の形態の洗車機用洗浄ブラシ１９は、上記の如くの構成となっているが、ブラシ体１１の形状については、上記の如く、プリーツ部１５を縫合形成する以外にも、例えば、長方形状の布状態の長手方向の一端部を折畳みした後、縫製部１６にて縫合し連結体通し孔１２を形成し、縫製部１３にて縫合する事により製作する。ブラシ体１１の連結体通し孔１２に連結体１７を装着させて、巾着袋の如く絞り込む等も採用できる。【００４４】  また、図７及び図８にて実施例１の他の実施の形態の洗浄ブラシを説明する。他の実施の形態の洗車機用洗浄ブラシ２９は、図７の如く、軸体１０、ブラシ体１１、及び連結体２１より構成されてある。ブラシ体１１は、軸体１０に貫通されてあり、軸体１０の外周面に形成された一箇所の取付部２３にて、軸体１０に装着されてある。取付部２３には、ネジ止めがされてある。また、ブラシ体１１は、図４の如く、概円錐台形状にて形成されてあり、一端には、連結体通し孔１２を有すると共に、プリーツ部１５が形成されてある。プリーツ部１５は縫製部１４を縫合する事により形成されてある。その為、ブラシ体１１は、プリーツ部１５が巾着袋の如く絞られて形成されてある。また、ブラシ体１１は、軸体１０の長手方向にたいして、所定の間隔を有して、複数装着されてある。【００４５】  次に、他の実施の形態の洗車機用洗浄ブラシ２９の製造手順を説明する。まず、図４の如く、ブラシ体１１は、長方形状の布状態の端部を折畳みしながら縫製部１４を縫合する事により、プリーツ部１５を形成した後、端部を折返し縫製部１６にて縫合し連結体通し孔１２を形成し、縫製部１３にて縫合する事により製作される。次に、ブラシ体１１の���結体通し孔１２に連結体２１を通した後、図５の如く、連結体１７に形成された固定用孔２２を重ね合せる事により、取付部２３にて軸体１０に装着する。【００４６】  次に、図６にて、洗車機用洗浄ブラシ２９を構成する連結体２１を説明する。連結体２１は、固定用孔２２、屈曲部２４、２５、２６、及び２７にて概Ｗ字形状に構成されてある。屈曲部２５と屈曲部２７及び屈曲部２４と屈曲部２６は、それぞれ同じ高さになるように形成されてある。また、連結体２１は、所定の位相を有する連続曲線にて形成されてある。【００４７】  次に、図７及び図８にて、洗車機用洗浄ブラシ２９の動作、作用を説明する。洗車機用洗浄ブラシ２９は、使用時には屈曲部２４、２５、２６、２７を有する連結体２１が装着されたブラシ体１１が、軸体１０の回転により、軸体１０の長手方向にたいして変化するように被洗浄面に接触する。また、図８の如く、ブラシ体１１は、Ａ−Ａの如く、屈曲部２４、２６、２７が形成されてある時には、屈曲部２４、及び２６と屈曲部２７の間に位相が形成され、被洗浄面にたいして屈曲部２６からブラシ体１１の端部に向って、左斜め下方に押付力３１が発生する。また、Ｂ−Ｂの如く、屈曲部２４、２７が形成されてある時には、屈曲部２４と屈曲部２７の間に位相が形成され、被洗浄面にたいしてブラシ体１１の端部に向って、軸体１０の長手方向にたいして垂直な方向に押付力３２が発生する。また、Ｃ−Ｃの如く、屈曲部２４、２５、２７が形成されてある時には、屈曲部２４と屈曲部２５、及び２７の間に位相が形成され、被洗浄面にたいして屈曲部２７からブラシ体１１の端部に向って、右斜め下方に押付力３３が発生する。また、Ｄ−Ｄの如く、屈曲部２４、２５が形成されてある時には、屈曲部２４と屈曲部２５の間に位相が形成され、被洗浄面にたいして、前記Ｂ−Ｂの状態と同様の押付力３４が発生する。【００４８】  実施例１の他の実施の形態の洗車機用洗浄ブラシ２９は、上記の如くの構成となっている為、ブラシ体１１の外周部を、被洗浄面にたいして、それぞれの押付力３１、３２、３３、３４にて、順次、傾斜角度の異なる様々な方向から繰り返して接触させることができる。その為、被洗浄面の汚れにたいして、多方向からの押付力にて接触させることができ、洗い残しが無く、より細部の洗浄ができ、付着力の強い汚れを掻き出して、的確に除去する事ができる。【００４９】  実施例１の他の実施の形態の洗車機用洗浄ブラシ２９は、上記の如くの構成となっているが、多方向からの押付力を発生させる為には、連結体２１の形状については、上記の如く、Ｗ形状以外にも、概Ｕ字形状、概Ｖ字形状等も採用できる。
【実施例２】
【００５０】  図９にて実施例２を示す。図９は、本発明の洗車機用洗浄ブラシが搭載されてある洗車機の正面図である。図９において、９は洗車機用洗浄ブラシ、５１は洗車機、５２は駆動源、５３はノズル、５４は乾燥機である。【００５１】  洗車機５１は、洗車機用洗浄ブラシ９が搭載されてあり、前記洗車機用洗浄ブラシ９は駆動源５２により回転される。ノズル５３からは、被洗浄面にたいして、洗浄剤、及び水が散布され、前記洗車機用洗浄ブラシ９により洗浄され、洗浄後は、乾燥機５４等の乾燥手段により被洗浄面が乾燥される。【００５２】  実施例２の洗車機５１に搭載される。洗車機用洗浄ブラシ９は、洗車機用洗浄ブラシ１９、２９でも採用できる。【００５３】  実施例２の洗車機５１は、上記の如くの構成となっているので、前記洗車機用洗浄ブラシ９は、被洗浄面にたいして、異なる複数の方向から接触させることができる為、洗車機５１は、被洗浄面に汚れ等が強固に付着している時でも汚れを掻き出して、強力に除去できる。
【産業上の利用可能性】
【００５４】  本発明の洗車機用洗浄ブラシ及び洗車機は、主に、自動車あるいは車両の外面の被洗浄面に付着した汚れ等を洗浄する為の洗車機に搭載する洗浄ブラシ及び洗車機として使用する。
【図面の簡単な説明】
【００５５】
【図１】  本発明の洗車機用洗浄ブラシを前面側から見た斜視図
【図２】  図１のブラシ体の斜視図
【図３】  実施例１の他の実施の形態の洗車機用洗浄ブラシを前面側から見た斜視図
【図４】  図３のブラシ体の斜視図
【図５】  図３の連結体の装着前の状態を示す斜視図
【図６】  実施例１の他の実施の形態に使用する連結体の正面図
【図７】  図６の連結体を軸体に装着した状態の側面図
【図８】  図７のＡ−Ａ、Ｂ−Ｂ、Ｃ−Ｃ、及びＤ−Ｄ断面図
【図９】  本発明の洗車機用洗浄ブラシが搭載されてある洗車機の正面図
【符号の説明】
【００５６】    １  ブラシ体
２、１８、２３  取付部
３、４、１３、１４、１６  縫製部
５  プリーツ部
６  固定用孔
９  洗車機用洗浄ブラシ
１０  軸体
１１  ブラシ体
１２  連結体通し孔
１５  プリーツ部
１７  連結体
１９  洗車機用洗浄ブラシ
２０、２２  固定用孔
２１  連結体
２４、２５、２６、２７  屈曲部
２９  洗車機用洗浄ブラシ
３１、３２、３３、３４  押付力
３６  上面
３７  側面
３８  下面
３９  突起部
５１  洗車機
５２  駆動源
５３  ノズル
５４  乾燥機
【図１】
2007136141.tif 000003
【図２】
2007136141.tif 000004
【図３】
2007136141.tif 000005
【図４】
2007136141.tif 000006
【図５】
2007136141.tif 000007
【図６】
2007136141.tif 000008
【図７】
2007136141.tif 000009
【図８】
2007136141.tif 000010
【図９】
2007136141.tif 000011